(57)【要約】【課題】報知したい者以外には視認が不可能となり、当該情報を報知されなくてもよい者が、当該情報を視認してしまうことで、危険や迷惑を被ることがない表示装置を提供する。【解決手段】本発明の表示装置１００は、移動体に搭載され、前記移動体が備えるウインドウに投影像を投影する表示装置であって、レーザー光を射出するレーザー光源１０１と、前記レーザー光源１０１から射出されたレーザー光が入射され、ホログラム再生像を投影する透過型ホログラム１０３と、前記透過型ホログラム１０３により投影されたホログラム再生像が入射される、視域制限透過型ホログラムスクリーン１０７と、からなることを特徴とする。【選択図】      図１
2015132708.tif 000002
【特許請求の範囲】
【請求項１】
移動体に搭載され、前記移動体が備えるウインドウに投影像を投影する表示装置であって、
レーザー光を射出するレーザー光源と、
前記レーザー光源から射出されたレーザー光が入射され、ホログラム再生像を投影するホログラムと、
前記ホログラムにより投影されたホログラム再生像が入射される、透明なスクリーンと、を有することを特徴とする表示装置。
【請求項２】
前記スクリーンは、入射された光を所定値内の拡散角で表示を行うものであることを特徴とする請求項１に記載の表示装置。
【請求項３】
前記ホログラムは、再生像の異なる複数の領域を有しており、
前記領域のそれぞれに前記レーザー光を入射することで、異なるホログラム再生像を前記スクリーンに投影する投影像切換手段を有することを特徴とする請求項１又は請求項２に記載の表示装置。
【請求項４】
前記投影像切換手段は、前記ホログラムを移動させることで、前記領域のそれぞれに前記レーザー光を入射し、異なるホログラム再生像を前記スクリーンに投影することを特徴とする請求項３に記載の表示装置。
【請求項５】
前記投影像切換手段は、前記レーザー光源から射出されたレーザー光の光路を切り換えることで、前記領域のそれぞれに前記レーザー光を入射し、異なるホログラム再生像を前記スクリーンに投影することを特徴とする請求項３に記載の表示装置。
【請求項６】
前記投影像切換手段は、前記レーザー光源から射出されたレーザー光の光路を変更する光路変更素子を有し、
前記光路変更素子における前記レーザー光が入射する面に平行な回動軸を中心に前記光路変更素子を回動させることで、前記領域のそれぞれに前記レーザー光を入射し、異なるホログラム再生像を前記スクリーンに投影することを特徴とする請求項３に記載の表示装置。
【請求項７】
前記投影像切換手段は、前記レーザー光源を移動させることで、前記領域のそれぞれに前記レーザー光を入射し、異なるホログラム再生像を前記スクリーンに投影することを特徴とする請求項３に記載の表示装置。
【請求項８】
前記ホログラムが円筒状部材に配されており、
前記投影像切換手段は、前記円筒状部材を回転させることで、前記領域のそれぞれに前記レーザー光を入射し、異なるホログラム再生像を前記スクリーンに投影することを特徴とする請求項３に記載の表示装置。
【請求項９】
前記ホログラムを透過した透過光の光路上と異なる位置に前記ホログラム再生像が投影されることを特徴とする請求項１乃至請求項８のいずれか１項に記載の表示装置。
【請求項１０】
移動体に搭載され、前記移動体が備えるウインドウに投影像を投影する表示装置であって、
レーザー光を射出するレーザー光源と、
前記レーザー光源から射出されたレーザー光が入射され、反射光により走査を行い、走査パターンを投影する走査型ミラーデバイスと、
前記ミラーデバイスにより、投影された走査パターンが入射される、透明なスクリーンと、
を有することを特徴とする表示装置。
【請求項１１】
前記スクリーンがホログラムスクリーンであることを特徴とする請求項１乃至請求項１０のいずれか１項に記載の表示装置。
【請求項１２】
前記スクリーンがルーバーフィルムであることを特徴とする請求項１乃至請求項１０のいずれか１項に記載の表示装置。
【請求項１３】
前記スクリーンがプリズムシートであることを特徴とする請求項１乃至請求項１０のいずれか１項に記載の表示装置。
【請求項１４】
前記スクリーンから透過した透過光の光路上と異なる位置に前記ホログラム再生像が投影されることを特徴とする請求項１１乃至請求項１３のいずれか１項に記載の表示装置。
【請求項１５】
前記領域のそれぞれに前記レーザー光を入射することで得られる、複数の異なるホログラム再生像により、アニメーションを前記スクリーンに投影することを特徴とする請求項３乃至請求項１４のいずれか1項に記載の表示装置。
【請求項１６】
請求項１乃至請求項１５のいずれか1項に記載の表示装置が搭載された車両であって、
前記車両の操作を検知するセンサと、
前記センサが前記車両の操作を検知すると、前記表示装置を作動し、前記車両の操作に合った投影像を路面に投影する制御部と、を有することを特徴とする車両。
【発明の詳細な説明】
【技術分野】
【０００１】
本発明は、リアウインドウなどにホログラム再生像を投影する表示装置及びこのような表示装置が搭載された車両に関する。
【背景技術】
【０００２】
従来、自動車等の車両にプロジェクターなどの表示装置を搭載しておき、このプロジェクターによって、自動車の後方部に所定の情報を表示し、自車両の周辺を走行する車両に、所定の情報の報知を行う技術が提案されている。
【０００３】
例えば、特許文献１（特開平９−３３８５６号公報）には、その図５等に関連して、バス等の自動車５のリアガラス２に、透過型のホログラムスクリーン３１を貼りつけ、表示手段としてのスライド投影機を車内の天井に備えつけ、スライド投影機からの投影を透過型のホログラムスクリーン３１に表示し、車外の通行人、後続車の乗員等に対しては、リアガラス２に表示された広告情報等を提供することが開示されている。
【特許文献１】特開平９−３３８５６号公報
【発明の概要】
【発明が解決しようとする課題】
【０００４】
特許文献１記載の発明においては、バス等の自動車５のリアガラス２に貼り付けた透過型のホログラムスクリーン３１に広告情報等を表示し、車外の通行人、後続車の乗員等に表示を行うものである。一方、車載のリアウインドウなどに表示を行う表示装置の場合、例えば、後続車両の運転者に対してのみ、自車両に係る情報を伝達したいといったニーズがある。というのは、例えば、同じレーンを走行中の、すぐ後ろの後続車に対して、自車両でブレーキが踏まれた情報を伝えるのは有効であるが、隣のレーンの車両の運転者には、必要な情報でない上に、余計な情報が表示されると、注意がそれて事故のリスクが高まるようなことがあるからである。
【０００５】
すなわち、従来の表示装置では、表示される情報が、報知したい者以外にも視認可能とされている構成であり、当該情報を報知されなくてもよい者が、当該情報を視認してしまうことで、危険や迷惑を被ることとなる、という問題があった。
【課題を解決するための手段】
【０００６】
本発明は以上のような課題を解決するためのものであり、本発明に係る表示装置は、移動体に搭載され、前記移動体が備えるウインドウに投影像を投影する表示装置であって、レーザー光を射出するレーザー光源と、前記レーザー光源から射出されたレーザー光が入射され、ホログラム再生像を投影するホログラムと、前記ホログラムにより投影されたホログラム再生像が入射される、透明なスクリーンと、からなることを特徴とする。
【０００７】
また、本発明に係る表示装置は、前記スクリーンは、入射された光を所定値内の拡散角で表示を行うものであることを特徴とする。
【０００８】
また、本発明に係る表示装置は、前記ホログラムは、再生像の異なる複数の領域を有しており、前記領域のそれぞれに前記レーザー光を入射することで、異なるホログラム再生像を前記スクリーンに投影する投影像切換手段を有することを特徴とする。
【０００９】
また、本発明に係る表示装置は、前記投影像切換手段は、前記ホログラムを移動させることで、前記領域のそれぞれに前記レーザー光を入射し、異なるホログラム再生像を前記
スクリーンに投影することを特徴とする。
【００１０】
また、本発明に係る表示装置は、前記投影像切換手段は、前記レーザー光源から射出されたレーザー光の光路を切り換えることで、前記領域のそれぞれに前記レーザー光を入射し、異なるホログラム再生像を前記スクリーンに投影することを特徴とする。
【００１１】
また、本発明に係る表示装置は、前記レーザー光源から射出されたレーザー光の光路を変更する光路変更素子を有し、前記投影像切換手段は、前記レーザー光源から射出されたレーザー光の光路を変更する光路変更素子を有し、前記光路変更素子における前記レーザー光が入射する面に平行な回動軸を中心に前記光路変更素子を回動させることで、前記領域のそれぞれに前記レーザー光を入射し、異なるホログラム再生像を前記スクリーンに投影することを特徴とする。
【００１２】
また、本発明に係る表示装置は、前記投影像切換手段は、前記レーザー光源を移動させることで、前記領域のそれぞれに前記レーザー光を入射し、異なるホログラム再生像を前記スクリーンに投影することを特徴とする。
【００１３】
また、本発明に係る表示装置は、前記ホログラムが円筒状部材に配されており、前記投影像切換手段は、前記円筒状部材を回転させることで、前記領域のそれぞれに前記レーザー光を入射し、異なるホログラム再生像を前記スクリーンに投影することを特徴とする。
【００１４】
また、本発明に係る表示装置は、前記ホログラムを透過した透過光の光路上と異なる位置に前記ホログラム再生像が投影されることを特徴とする。
【００１５】
また、本発明に係る表示装置は、移動体に搭載され、前記移動体が備えるウインドウに投影像を投影する表示装置であって、レーザー光を射出するレーザー光源と、前記レーザー光源から射出されたレーザー光が入射され、反射光により走査を行い、走査パターンを投影する走査型ミラーデバイスと、前記ミラーデバイスにより、投影された走査パターンが入射される、透明なスクリーンと、を有することを特徴とする。
【００１６】
また、本発明に係る表示装置は、前記スクリーンがホログラムスクリーンであることを特徴とする。
【００１７】
また、本発明に係る表示装置は、前記スクリーンがルーバーフィルムであることを特徴とする。
【００１８】
また、本発明に係る表示装置は、前記スクリーンがプリズムシートであることを特徴とする。
【００１９】
また、本発明に係る表示装置は、前記スクリーンから透過した透過光の光路上と異なる位置に前記ホログラム再生像が投影されることを特徴とする。
【００２０】
また、本発明に係る表示装置は、前記領域のそれぞれに前記レーザー光を入射することで得られる、複数の異なるホログラム再生像により、アニメーションを前記スクリーンに投影することを特徴とする。
【００２１】
また、本発明に係る車両は、前記に記載の表示装置が搭載された車両であって、前記車両の操作を検知するセンサと、前記センサが前記車両の操作を検知すると、前記表示装置を作動し、前記車両の操作に合った投影像を路面に投影する制御部と、を有することを特徴とする。
【発明の効果】
【００２２】
本発明の表示装置は、ホログラムにより投影されたホログラム再生像が入射されると共に、制限された視域で表示を行うスクリーン備えているので、本発明の表示装置によれば、スクリーンでの表示は、報知したい者以外には視認が不可能となり、当該情報を報知されなくてもよい者が、当該情報を視認してしまうことで、危険や迷惑を被ることがない。また、このような本発明の表示装置によれば、用いるレーザー光源の光量を抑えることができる。
【００２３】
また、このような本発明の表示装置を搭載した車両によれば、スクリーンでの表示は、隣のレーンの車両の運転者などは視認することができなくなり、隣のレーンの車両の運転者が、スクリーンの表示を視認してしまうことで、危険や迷惑を被ることがない。
【図面の簡単な説明】
【００２４】
【図１】本発明の第１実施形態に係る表示装置１００の構成と、表示装置１００が搭載された車両２００を示す図である。
【図２】複数種類のホログラム再生像を表示する原理を説明する図である。
【図３】本発明の第１実施形態に係る表示装置１００が搭載された車両２００による効果を説明する図である。
【図４】本発明の第１実施形態に係る表示装置１００を車載する場合のブロック構成を示す図である。
【図５】本発明の第１実施形態に係る表示装置１００の制御のためのフローチャートを示す図である。
【図６】本発明の第１実施形態に係る表示装置１００による表示例を示す図である。
【図７】本発明の第１実施形態に係る表示装置１００による表示例を示す図である。
【図８】本発明の第１実施形態に係る表示装置１００による表示例を示す図である。
【図９】本発明の第１実施形態に係る表示装置１００による表示例を示す図である。
【図１０】本発明の第１実施形態に係る表示装置１００による表示例を示す図である。
【図１１】本発明の第２実施形態に係る表示装置１００の構成を示す図である。
【図１２】本発明の第３実施形態に係る表示装置１００の構成を示す図である。
【図１３】本発明の第４実施形態に係る表示装置１００の構成を示す図である。
【図１４】本発明の第５実施形態に係る表示装置１００の構成を示す図である。
【図１５】本発明の第６実施形態に係る表示装置１００の構成を示す図である。
【図１６】本発明の第７実施形態に係る表示装置１００の構成を示す図である。
【図１７】本発明の第８実施形態に係る表示装置１００の構成を示す図である。
【図１８】本発明の第９実施形態に係る表示装置１００の構成を示す図である。
【発明を実施するための形態】
【００２５】
以下、本発明の実施の形態を図面を参照しつつ説明する。図１は本発明の第１実施形態に係る表示装置１００の構成と、表示装置１００が搭載された車両２００を示す図である。
【００２６】
表示装置１００は、例えば、車両２００のリアウインドウ周辺に搭載され、リアウインドウに所定の像を投影することで、自車両２００に関連する情報を、同一レーンで自車両２００の直後を走行する後続車両の運転者に対して、報知することで、事故防止などを図ることが想定されている。
【００２７】
なお、本発明の表示装置１００を搭載する車両２００としてはリアウインドウを備えるものであれば、どのようなものでもよく、車両２００には、ガソリンエンジンの駆動力の
みで走行する車両や、ガソリンエンジンとモーターの駆動力で走行する車両、モーターの駆動力のみで走行する車両や、或いは、ディーゼルエンジンの駆動力により走行する車両などが含まれる。すなわち、本発明の表示装置１００は上記のような種々の移動体に搭載することが可能である。
【００２８】
図１の下側の点線によって囲まれた部分は、車両２００の後部に搭載されている表示装置１００の構成を模式的に示すものである。車両２００のリアウインドウ２１０には、スクリーンを貼り付けるが、このスクリーンとしては、透明なスクリーンが挙げられる。ここで、「透明」とは、ホログラム再生像を、スクリーンに投影した際に、スクリーンを介してホログラム再生像を視認することができる程度の透過性のことをいう。このようなスクリーンとしては、ホログラムを用いたスクリーン（以下、ホログラムスクリーンともいう。）、ルーバーフィルムを用いたスクリーン、プリズムシートを用いたスクリーンなどを挙げることができる。ここで、ホログラムとしては、エンボスホログラム、体積型ホログラム、電子ホログラムなどを挙げることができる。さらに、計算機を用いた演算により所定の記録面上に干渉縞を記録させて作製する計算機合成ホログラムなども挙げることができる。また、計算機合成ホログラムのうち、フーリエ変換光学系を用いた計算機合成ホログラムであるフーリエ変換ホログラムを用いるようにしてもよい。
【００２９】
また、このようなスクリーンとしては、視域を制限するものを用いることが好ましい。ここで、視域を制限するスクリーン（以下、視域制限スクリーンともいう。）とは、入射された光を所定の角度範囲に拡散させる機能を有するスクリーンのことをいう。
【００３０】
また、このような視域制限スクリーンとしては、例えば、ホログラムを用いた視域制限ホログラムスクリーンを挙げることができ、視域制限ホログラムスクリーンは透過型（以下、視域制限透過型ホログラムスクリーンともいう。）であってもよいし、反射型（視域制限反射型ホログラムスクリーンともいう。）であってもよい。
【００３１】
本実施形態においては、図１に示すように、スクリーンとして視域制限透過型ホログラムスクリーン１０７を用いる形態について説明する。
【００３２】
また、表示装置１００は、レーザー光を射出するレーザー光源１０１と、このレーザー光源１０１から射出されたレーザー光が入射され、記録された像を視域制限ホログラムスクリーン１０７に投影するホログラムと、を有している。このようなホログラムとしては、透過型ホログラムであってもよいし、反射型ホログラムであってもよい。また、ホログラムとしては、エンボスホログラム、体積型ホログラム、電子ホログラムなどを挙げることができる。さらに、計算機を用いた演算により所定の記録面上に干渉縞を記録させて作製する計算機合成ホログラムなども挙げることができる。また、計算機合成ホログラムのうち、フーリエ変換光学系を用いた計算機合成ホログラムであるフーリエ変換ホログラムを用いるようにしてもよい。
【００３３】
以下、本実施形態においては、図１に示すように、ホログラムとして透過型ホログラム１０３を用いた形態について説明する。
【００３４】
ここで、透過型ホログラム１０３には、２種以上の記号、テキスト文字列、イラスト、１次元パターンまたは２次元パターンによるライン、記号、マーク、文字などを透過型ホログラム１０３の複数の領域に記録させるようにしている。本例では、あくまで原理の説明ということで、透過型ホログラム１０３に、記録領域１、記録領域２の２領域を設け、それぞれ異なるホログラム再生像（例示として、それぞれ「Ａ」、「Ｂ」の文字）を記憶するようにしているが、後述する車両２００搭載の表示装置１００では、５つの記録領域を設け、右方向に向いた矢印のホログラム再生像、左方向に向いた矢印のホログラム再生
像、「Ｓｔｏｐ！」のテキスト文字列のホログラム再生像、「Ｃａｕｔｉｏｎ！」のテキスト文字列のホログラム再生像、「Ｔｈａｎｋｓ！」のテキスト文字列のホログラム再生像が記録されている。
【００３５】
透過型ホログラム１０３は、不図示のアクチュエータなどによって、Ｘ−Ｘ’方向に動き得るように構成されている。本実施形態に係る表示装置１００では、図１及び図２に示すように、上位装置（不図示）からの制御指令に基づいて、当該アクチュエータを駆動し、レーザー光源１０１からの照射光を、透過型ホログラム１０３の記録領域１、記録領域２のいずれかに当てることができようになっている。
【００３６】
以上のような構成により、表示装置１００では、透過型ホログラム１０３によって複数のホログラム再生像を投影することができ、視域制限透過型ホログラムスクリーン１０７で複数のホログラム再生像を表示することが可能となる。図１及び図２で示す原理図によれば、「Ａ」のホログラム再生像、又は、「Ｂ」のホログラム再生像を、視域制限透過型ホログラムスクリーン１０７に投影し、リアウインドウ２１０を介して、同一レーンで自車両２００の直後を走行する後続車両の運転者に対して視認させることができる。
【００３７】
なお、以上のように、表示装置１００で、複数のホログラム再生像を投影させるための構成を、特許請求の範囲では、「投影像切換手段」と表現している。
【００３８】
また、本実施形態では、透過型ホログラム１０３をＸ−Ｘ’方向の１次元方向のみで移動するように構成したが、透過型ホログラム１０３をＸ−Ｘ’方向と、透過型ホログラム１０３が含まれる面内で、Ｘ−Ｘ’方向と直交するＹ−Ｙ’方向の２次元で移動するように構成することもできる。このような、２次元で透過型ホログラム１０３を移動させるような構成は、より多くのホログラム再生像を有する透過型ホログラム１０３を取り扱う場合に好適である。
【００３９】
視域制限透過型ホログラムスクリーン１０７は、所定内の拡散角を有する、視域を制限するものであるので、表示装置１００によって、リアウインドウ２１０に表示される情報は、図３に示されるように、同一レーンで自車両２００の直後を走行する後続車両の運転者に対して視認させることができ、隣のレーンの車両の運転者などは視認することができなくなり、隣のレーンの車両の運転者が、スクリーンの表示を視認してしまうことで、危険や迷惑を被ることがない。
【００４０】
本発明に係る表示装置１００では、視域制限透過型ホログラムスクリーン１０７の拡散角としては４°以上５０°以下のものを用いることが好適である。このような視域制限透過型ホログラムスクリーン１０７を用いると、駐車場などの徐行運転時や、渋滞時などの狭い車間距離の場合から、６０ｋｍなどの速度で走行している場合までのいずれかの範囲に、対応することが可能となる。
【００４１】
以上のように、本発明の表示装置１００は、ホログラムにより投影されたホログラム再生像が入射されると共に、制限された視域で表示を行うスクリーン備えているので、本発明の表示装置１００によれば、スクリーンでの表示は、報知したい者以外には視認が不可能となり、当該情報を報知されなくてもよい者が、当該情報を視認してしまうことで、危険や迷惑を被ることがない。また、このような本発明の表示装置によれば、用いるレーザー光源１０１の光量を抑えることができる。
【００４２】
また、このような本発明の表示装置１００を搭載した車両２００によれば、スクリーンでの表示は、隣のレーンの車両の運転者などは視認することができなくなり、隣のレーンの車両の運転者が、スクリーンの表示を視認してしまうことで、危険や迷惑を被ることが
ない。
【００４３】
なお、図１の点線で示される光軸、すなわち、レーザー光１０２がホログラムに入射後、回折されずに出射する出射光（０次光）は、人の目には有害である場合があるので、０次光の光路上にホログラム再生像が投影されない、すなわち、０次光の光路上と異なる位置にホログラム再生像が投影されるタイプのホログラムを用いることが好ましい。これは、透過型ホログラム１０３、視域制限透過型ホログラムスクリーン１０７のいずれについても、当てはまるので、透過型ホログラム１０３、視域制限透過型ホログラムスクリーン１０７の両方に入射する光の光路上にホログラム再生像が投影されない、すなわち、０次光の光路上と異なる位置にホログラム再生像が投影されるオフアクシスのホログラムを用いることが最も好ましい。しかし、透過型ホログラム１０３、視域制限透過型ホログラムスクリーン１０７いずれかを、オフアクシスのホログラムとするようにしてもよい。
【００４４】
また、透過型ホログラム１０３、視域制限透過型ホログラムスクリーン１０７に限定されず、反射型ホログラム、視域制限反射型ホログラムスクリーンについてもオフアクシスのものにすることができ、同様の効果を得ることができる。
【００４５】
なお、後述する走査型ミラーデバイスを用いた場合にも、視域制限透過型ホログラムスクリーン１０７や視域制限反射型ホログラムスクリーンをオフアクシスとすることで同様の効果を得ることができる。
【００４６】
以上のような、表示装置１００を車両２００に搭載した場合の具体例について説明する。図４は本発明の第１実施形態に係る表示装置１００を車載する場合のブロック構成を示す図である。
【００４７】
この実施形態に係る表示装置１００においては、透過型ホログラム１０３に、第１記録領域乃至第６記録領域（不図示）を設ける。
【００４８】
そして、第１記録領域には、後続車両に自車両が右折しようとしていることを報知するために、右方向に向いた矢印のホログラム再生像を記録する。
【００４９】
また、第２記録領域には、後続車両に自車両が左折しようとしていることを報知するために、左方向に向いた矢印のホログラム再生像を記録する。
【００５０】
また、第３記録領域には、後続車両に自車両が制動しようとしていることを報知するために、「Ｓｔｏｐ！」のテキスト文字列のホログラム再生像を記録する。
【００５１】
また、第４記録領域には、後続車両に注意を促すために、「Ｃａｕｔｉｏｎ！」のテキスト文字列のホログラム再生像を記録する。
【００５２】
また、第５記録領域には、後続車両に謝意を伝えるために、「Ｔｈａｎｋｓ！」のテキスト文字列のホログラム再生像を記録する。
【００５３】
また、第６記録領域には、後続車両に自車両が後進しようとしていることを報知するために、「Ｂａｃｋ！」のテキスト文字列のホログラム再生像を記録する。
【００５４】
表示装置１００においては、ＥＣＵ１１０からの制御指令に基づいて、前記したようなアクチュエータを駆動し、レーザー光源１０１からの照射光を、透過型ホログラム１０３の記録領域１、記録領域２、記録領域３、記録領域４、記録領域５のいずれかに当てることができようになっている。これにより、視域制限透過型ホログラムスクリーン１０７に
、右方向に向いた矢印のホログラム再生像、左方向に向いた矢印のホログラム再生像、「Ｓｔｏｐ！」のテキスト文字列のホログラム再生像、「Ｃａｕｔｉｏｎ！」のテキスト文字列のホログラム再生像、「Ｔｈａｎｋｓ！」のテキスト文字列のホログラム再生像のいずれかを表示することができるようになっている。
【００５５】
図４において、ＥＣＵ１１０はＥｌｅｃｔｏｎｉｃ  Ｃｏｎｔｒｏｌ  Ｕｎｉｔの略であり、ＣＰＵ（Ｃｅｎｔｒａｌ Ｐｒｏｃｅｓｓｉｎｇ Ｕｎｉｔ）とＣＰＵ上で動作するプログラムを保持するＲＯＭ（Ｒｅａｄ  Ｏｎｌｙ Ｍｅｍｏｒｙ）とＣＰＵのワークエ
リアであるＲＡＭ（Ｒａｎｄｏｍ Ａｃｃｅｓｓ Ｍｅｍｏｒｙ）などからなる汎用の情報処理機構である。ＥＣＵ１１０は、図示されているＥＣＵ１１０と接続される各構成と協働・動作する。
【００５６】
方向指示器センサ１３０は、車両２００に搭載されている方向指示器（不図示）の操作を検知する。この方向指示器センサ１３０は、運転者が方向指示器により、右折の合図を出そうとしているのか、左折の合図を出そうとしているのかを検知し、検知したデータをＥＣＵ１１０に送信するものである。
【００５７】
ブレーキセンサ１４０は、車両２００に搭載されているブレーキ（不図示）の操作を検知する。このブレーキセンサ１４０は、運転者がブレーキにより、車両２００を制動させようとしているのかを検知し、検知したデータをＥＣＵ１１０に送信するものである。
【００５８】
車両２００には、メインハザードスイッチ１６０及びサブハザードスイッチ１７０が設けられている。メインハザードスイッチ１６０は、周辺車両に注意を促す際に、ハザードランプを点滅させる際にオンするものであり、サブハザードスイッチ１７０は、後続車両などに謝意を促す際に、ハザードランプを点滅させる際にオンするものである。
【００５９】
メインハザードスイッチ１６０又はサブハザードスイッチ１７０がオンとなると、そのことが、ＥＣＵ１１０に送信されるようになっている。
【００６０】
ギアセンサ１８０は、車両２００に搭載されているギア（不図示）の操作で選択されたギア種を検知する。特に、このギアセンサ１８０は、運転者がギアにより、車両２００を後進させようとしているのかを検知し、検知したデータをＥＣＵ１１０に送信するものである。
【００６１】
方向指示器センサ１３０からの検知データ、ブレーキセンサ１４０からの検知データ、メインハザードスイッチ１６０又はサブハザードスイッチ１７０からのオンデータ、ギアセンサ１８０からの検知データを受信するＥＣＵ１１０は、ＥＣＵ１１０内のＲＯＭなどの記憶手段に記憶保持されるプログラム、データに基づいて、本発明の表示装置１００を制御する。
【００６２】
次に、以上のように構成される車両２００に搭載された表示装置１００の制御の一例を説明する。図５は本発明の第１実施形態に係る表示装置１００の制御のためのフローチャートを示す図である。なお、以下のフローチャートによれば、指示方向の表示、Ｓｔｏｐ！の表示、Ｃａｕｔｉｏｎの表示、Ｔｈａｎｋｓの表示、Ｂａｃｋの表示が、それぞれが独立して作動することとなる。
【００６３】
図５において、車両２００のエンジン（不図示）が、運転者によりスタートされると、続いて、      ステップＳ１０１においては、方向指示器センサ１３０が方向指示器の操作を検知したかが判定される。
【００６４】
ステップＳ１０１の判定がＹＥＳであれば、ステップＳ１０２に進み、方向指示器センサ１３０で検知された指示方向のホログラム再生像が表示されるように表示装置１００を作動する。図６は、このようなステップＳ１０２で、表示装置１００が作動し、第２記録領域に記録されている、左方向に向いた矢印のホログラム再生像を視域制限透過型ホログラムスクリーン１０７に表示している様子を示している。
【００６５】
これにより、後続車両のみに対して、自車両が左折しようとしていることを報知でき、事故防止等に資することが可能となる。なお、レーザー光源１０１のオンオフを繰り返せば、ホログラム再生像を点滅させるようにすることもできる。
【００６６】
一方、ステップＳ１０１の判定がＮＯであれば、続いて、ステップＳ１０３に進み、ブレーキセンサ１４０が操作を検知したかが判定される。
【００６７】
ステップＳ１０３の判定がＹＥＳであれば、ステップＳ１０４に進み、「Ｓｔｏｐ！」のテキスト文字列のホログラム再生像が表示されるように表示装置１００を作動する。図７は、このようなステップＳ１０４で、表示装置１００が作動し、第３記録領域に記録されている「Ｓｔｏｐ！」のホログラム再生像を視域制限透過型ホログラムスクリーン１０７に表示している様子を示している。
【００６８】
これにより、後続車両のみに対して、自車両が制動しようとしていることを報知でき、事故防止等に資することが可能となる。なお、レーザー光源１０１のオンオフを繰り返せば、ホログラム再生像を点滅させるようにすることもできる。
【００６９】
一方、ステップＳ１０３の判定がＮＯであれば、続いて、ステップＳ１０５に進み、メインハザードスイッチ１６０が操作され、オンとなったかが判定される。
【００７０】
ステップＳ１０５の判定がＹＥＳであれば、ステップＳ１０６に進み、「Ｃａｕｔｉｏｎ！」のテキスト文字列のホログラム再生像が表示されるように表示装置１００を作動する。図８は、このようなステップＳ１０６で、表示装置１００が作動し、第４記録領域に記録されている「Ｃａｕｔｉｏｎ！」のホログラム再生像を視域制限透過型ホログラムスクリーン１０７に表示している様子を示している。
【００７１】
これにより、後続車両のみに対して、自車両に警告を報知でき、事故防止等に資することが可能となる。なお、レーザー光源１０１のオンオフを繰り返せば、ホログラム再生像を点滅させるようにすることもできる。
【００７２】
一方、ステップＳ１０５の判定がＮＯであれば、続いて、ステップＳ１０７に進み、サブハザードスイッチ１７０が操作され、オンとなったかが判定される。
【００７３】
ステップＳ１０７の判定がＹＥＳであれば、ステップＳ１０６に進み、「Ｔｈａｎｋｓ！」のテキスト文字列のホログラム再生像が表示されるように表示装置１００を作動する。図９は、このようなステップＳ１０８で、表示装置１００が作動し、第５記録領域に記録されている「Ｔｈａｎｋｓ！」のホログラム再生像を視域制限透過型ホログラムスクリーン１０７に表示している様子を示している。
【００７４】
これにより、後続車両のみに対して、謝意を報知でき、事故防止等に資することが可能となる。なお、レーザー光源１０１のオンオフを繰り返せば、ホログラム再生像を点滅させるようにすることもできる。
【００７５】
一方、ステップＳ１０７の判定がＮＯであれば、続いて、ステップＳ１０９に進み、ギ
アセンサ１８０で後進用のギアが選択されたことが検知したかが判定される。
【００７６】
ステップＳ１０９の判定がＹＥＳであれば、ステップＳ１１０に進み、「Ｂａｃｋ！」のテキスト文字列のホログラム再生像が表示されるように表示装置１００を作動する。図１０は、このようなステップＳ１０８で、表示装置１００が作動し、第６記録領域に記録されている「Ｂａｃｋ！」のホログラム再生像を視域制限透過型ホログラムスクリーン１０７に表示している様子を示している。
【００７７】
これにより、後続車両のみに対して、自車両が後進しようとしていることを報知でき、事故防止等に資することが可能となる。なお、レーザー光源１０１のオンオフを繰り返せば、ホログラム再生像を点滅させるようにすることもできる。
【００７８】
一方、ステップＳ１０９の判定がＮＯであれば、続いて、ステップＳ１１１に進み、車両２００のエンジンがストップされたか否かを判定し、この判定がＹＥＳであれば、ステップＳ１１２に進み処理を終了し、判定がＮＯであれば、ステップＳ１０１に戻り、ループする。
【００７９】
なお、本発明に係る表示装置１００で用い得るレーザー光源１０１としては、任意のものを用いることが可能である。例えば、レーザー光源１０１として、単波長のレーザー光源を用いるようにしてもよいし、複数の異なる波長のレーザー光源を任意に選択して組み合わせ、これらから射出される光を混合したレーザー光源を用いるようにしてもよい。例えば、赤色（Ｒ）の波長の光を射出するレーザー光源、緑色（Ｇ）の波長の光を射出するレーザー光源、青色（Ｂ）の波長の光を射出するレーザー光源を組み合わせて、白色のホログラム再生像を得るようにすることもできる。
【００８０】
ホログラム再生像による報知の目的に合わせて、上記のようにレーザー光源１０１を適宜変更することで、より視覚、視認効果をより高めることが可能となる。例えば、表示装置１００により表示するホログラム再生像の種別によって、それぞれ異なる波長のレーザー光源１０１を用いることもできる。一例としては、「Ｓｔｏｐ！」のホログラム再生像を投影させるために用いるレーザー光源１０１としては赤色のものを用いたり、進行方向を示す矢印のホログラム再生像を投影させるために用いるレーザー光源１０１としては橙色のものを用いたり、「Ｂａｃｋ！」のホログラム再生像を投影させるために用いるレーザー光源１０１としては白色のものを用いたりすることができる。
【００８１】
以上のように、本発明の表示装置１００は、ホログラムにより投影されたホログラム再生像が入射されると共に、制限された視域で表示を行うスクリーンを備えているので、本発明の表示装置１００によれば、スクリーンでの表示は、報知したい者以外には視認が不可能となり、当該情報を報知されなくてもよい者が、当該情報を視認してしまうことで、危険や迷惑を被ることがない。
【００８２】
なお、後述の走査型ミラーデバイスを用いた実施形態においても同様の効果を得ることができる。
【００８３】
また、このような本発明の表示装置１００を搭載した車両２００によれば、スクリーンでの表示は、隣のレーンの車両の運転者などは視認することができなくなり、隣のレーンの車両の運転者が、スクリーンの表示を視認してしまうことで、危険や迷惑を被ることがない。
【００８４】
次に、本発明の他の実施形態について説明する。図１１は本発明の第２実施形態に係る表示装置１００の構成を示す図である。
【００８５】
本実施形態が第１実施形態と異なる点は、透過型ホログラム１０３ではなく、反射型ホログラム１０４である点であり、その他の点は、第１実施形態と同様の構成を有している。反射型ホログラム１０４としては、エンボスホログラム、体積型ホログラムのいずれも用いることができるが、反射型ホログラム１０４のエンボスホログラムは量産性、価格の面で優れており、車両２００に適した表示装置１００の製造に適している。
【００８６】
なお、以下の全ての実施形態において、透過型ホログラム１０３に代えて、反射型ホログラム１０４も用いるができる。
【００８７】
以上のような、第２実施形態に係る表示装置１００によっても、先の実施形態と同様の効果を享受することができる。
【００８８】
次に、本発明の他の実施形態について説明する。図１２は本発明の第３実施形態に係る表示装置１００の構成を示す図である。
【００８９】
本実施形態は、第１実施形態と投影像切換手段が異なり、その他の構成は同様である。
【００９０】
本実施形態も第１実施形態同様、２種以上の記号、テキスト文字列、イラスト、１次元パターンまたは２次元パターンによるライン、記号、マーク、文字などを透過型ホログラム１０３の複数の領域に記録させる。一例として、透過型ホログラム１０３に、記録領域１、記録領域２の２領域を設け、それぞれ異なるホログラム再生像（本例では、それぞれ「Ａ」、「Ｂ」の文字）を記録するようにしている。
【００９１】
また、レーザー光源１０１からの照射光は、光学素子の１種であるミラー１０５で反射させて、透過型ホログラム１０３に入射させるようにしている。また、このミラー１０５は、不図示のアクチュエータなどによって、レーザー光源１０１からの照射光と平行なＸ−Ｘ’方向に動き得るように構成されている。本実施形態に係る表示装置１００では、上位装置（不図示）からの制御指令に基づいて、当該アクチュエータを駆動しミラー１０５の反射光を、透過型ホログラム１０３の記録領域１、記録領域２のいずれかに当てることができようになっている。
【００９２】
なお、ミラーについては、特許請求の範囲において、「光路変更素子」と表現している。
【００９３】
以上のような構成により、投影像切換手段を実現しても、先の実施形態と同様の効果を享受することができる。
【００９４】
次に、本発明の他の実施形態について説明する。図１３は本発明の第４実施形態に係る表示装置１００の構成を示す図である。
【００９５】
本実施形態は、第１実施形態と投影像切換手段が異なり、その他の構成は同様である。
【００９６】
本実施形態も第１実施形態同様、２種以上の記号、テキスト文字列、イラスト、１次元パターンまたは２次元パターンによるライン、記号、マーク、文字などを透過型ホログラム１０３の複数の領域に記録させる。一例として、透過型ホログラム１０３に、記録領域１、記録領域２の２領域を設け、それぞれ異なるホログラム再生像（本例では、それぞれ「Ａ」、「Ｂ」の文字）を記録するようにしている。
【００９７】
また、レーザー光源１０１からの照射光は、光学素子の１種であるミラー１０５で反射
させて、透過型ホログラム１０３に入射させるようにしている。また、このミラー１０５は、不図示のモーターなどによって、回動軸Ｏを中心として回動されることで、Ｘ−Ｘ’方向に動き得るように構成されている。本実施形態に係る表示装置１００では、上位装置（不図示）からの制御指令に基づいて、当該モーターを駆動しミラー１０５の反射光を、透過型ホログラム１０３の記録領域１、記録領域２のいずれかに当てることができようになっている。ここで、「回動」とは、ある軸を中心として、規制された角度範囲で物体が回ることをいう。
【００９８】
以上のような構成により、投影像切換手段を実現しても、先の実施形態と同様の効果を享受することができる。
【００９９】
第４実施形態に係る表示装置１００による方法で、複数のホログラム再生像を投影させるための構成においては、記録領域１に入射するレーザー光の入射角がθ1であり、記録
領域２に入射するレーザー光の入射角がθ2であり、記録領域によって、レーザー光の入
射角が異なる。これに対応するために、本実施形態で用いる透過型ホログラム１０３を設計する際には、記録領域１及び記録領域２でレーザー光の入射角が異なることを加味しておくことが好ましい。
【０１００】
一方、ミラー１０５を回動させることにより、複数のホログラム再生像を投影させるための構成においても、記録領域１に入射するレーザー光の入射角と、記録領域２に入射するレーザー光の入射角とを等しくする構成を実現することもできる。このような構成を、図１４を参照して説明する。
【０１０１】
図１４は本発明の第５実施形態に係る表示装置１００の構成を示す図である。本実施形態は、第５実施形態におけるミラー１０５と透過型ホログラム１０３との間に、入射光をコリメート光とするレンズ１０６を配するようにしたものであり、その他の点は、第４実施形態と異なることはない。
【０１０２】
このような本実施形態によれば、透過型ホログラム１０３を設計する際には、記録領域１及び記録領域２でレーザー光の入射角が異なることを加味する必要がなくなると共に、これまで説明した実施形態と同様の効果を享受することができる。
【０１０３】
次に、本発明の他の実施形態について説明する。図１５は本発明の第６実施形態に係る表示装置１００の構成を示す図である。
【０１０４】
本実施形態は、第１実施形態と投影像切換手段が異なり、その他の構成は同様である。
【０１０５】
本実施形態も第１実施形態同様、２種以上の記号、テキスト文字列、イラスト、１次元パターンまたは２次元パターンによるライン、記号、マーク、文字などを透過型ホログラム１０３の複数の領域に記録させる。一例として、透過型ホログラム１０３に、記録領域１、記録領域２の２領域を設け、それぞれ異なるホログラム再生像（本例では、それぞれ「Ａ」、「Ｂ」の文字）を記録するようにしている。
【０１０６】
本実施形態ではレーザー光源１０１が、不図示のアクチュエータなどによって、Ｘ−Ｘ’方向に動き得るように構成されている。本実施形態に係る表示装置１００では、上位装置（不図示）からの制御指令に基づいて、当該アクチュエータを駆動し、レーザー光源１０１からの照射光を、透過型ホログラム１０３の記録領域１、記録領域２のいずれかに当てることができようになっている。
【０１０７】
以上のような構成により、投影像切換手段を実現しても、先の実施形態と同様の効果を
享受することができる。
【０１０８】
なお、本実施形態では、レーザー光源１０１をＸ−Ｘ’方向の１次元方向のみで移動するように構成したが、レーザー光源１０１をＸ−Ｘ’方向と、透過型ホログラム１０３が含まれる面と平行な面内で、Ｘ−Ｘ’方向と直交するＹ−Ｙ’方向の２次元で移動するように構成することもできる。このような、２次元で透過型ホログラム１０３を移動させるような構成は、より多くのホログラム再生像を有する透過型ホログラム１０３を取り扱う場合に好適である。
【０１０９】
次に、本発明の他の実施形態について説明する。図１６は本発明の第７実施形態に係る表示装置１００の構成を示す図である。
【０１１０】
本実施形態は、第１実施形態と投影像切換手段が異なり、その他の構成は同様である。
【０１１１】
本実施形態も第１実施形態同様、２種以上の記号、テキスト文字列、イラスト、１次元パターンまたは２次元パターンによるライン、記号、マーク、文字などを複数種投影するものであるが、本実施形態では、複数の透過型ホログラム１０３を、透明な円筒状部材１０９の周り設け、それぞれの透過型ホログラム１０３に記録領域１、記録領域２、・・・・を割り当てるようにしている。なお、１枚の透過型ホログラム１０３の端部同士を固着し、ループ状として、円筒状部材１０９の構成に代えることもできる。この場合、１つの透過型ホログラム１０３に複数のホログラム再生像記録領域を予め形成しておくことになる。
【０１１２】
円筒状部材１０９は、不図示のモーターなどにより、Ｘ−Ｘ’軸 （回転軸）を中心と
して、回転することができるようにされている。また、円筒状部材１０９の内部に配されたレーザー光源１０１からの照射光は、円筒状部材１０９周囲に配されている透過型ホログラム１０３に入射されるようになっている。ここで、「回転」とは、ある軸を中心として物体が回ることをいう。
【０１１３】
本実施形態に係る表示装置１００では、上位装置（不図示）からの制御指令に基づいて、当該モーターを駆動し、レーザー光源１０１からの照射光を、透過型ホログラム１０３の記録領域１、記録領域２、・・・・に順次当てることができようになっている。
【０１１４】
以上のような構成により、表示装置１００で、複数のホログラム再生像を投影することが可能となる。また、本実施形態では、記録領域１、記録領域２、・・・・の領域毎に、すこしずつ変化するホログラム再生像を記録することで、表示装置１００によって、アニメーションを投影することが可能となる。
【０１１５】
以上のような構成により、投影像切換手段を実現しても、先の実施形態と同様の効果を享受することができることができると共に、アニメーション効果により、より印象的に後続車両の運転者に情報を伝達することができる。
【０１１６】
なお、上記のような「投影像切換手段」を実現させる構成として、これまで説明した構成の他に、
・レーザー光源１０１自体を動かし、レーザー光を照射する方向を変更し、透過型ホログラム１０３の異なる記録領域にレーザー光が入射するようにした構成、
・レーザー光源１０１を複数設けておき、それぞれのレーザー光源１０１から照射されるレーザー光が、透過型ホログラム１０３の異なる記録領域にそれぞれ入射するようにした構成、
・レーザー光源１０１から照射されるレーザー光の光路を、バンドパスフィルターやダイクロイックミラーなど波長選択性を有する光学素子により切り換えて、透過型ホログラム１０３の異なる記録領域にそれぞれ入射するようにした構成、
・レーザー光源１０１から照射されるレーザー光の光路を、レーザーの偏光状態により、ビームスプリッターや波長板、偏光フィルターなどを用いることにより切り換えて、透過型ホログラム１０３の異なる記録領域にそれぞれ入射するようにした構成、
・電子ホログラフィーを用い、空間光変調器（ＳＬＭ：Ｓｐａｔｉａｌ  Ｌｉｇｈｔ  Ｍｏｄｕｌａｔｏｒ）の表示切換で、投影像を切り換える構成などを挙げることができる。
【０１１７】
また、「投影像切換手段」を実現するために、これまで説明した各構成を適宜組み合わせることもできる。
【０１１８】
次に、本発明の他の実施形態について説明する。図１７は本発明の第８実施形態に係る表示装置１００の構成を示す図である。
【０１１９】
本実施形態においては、表示装置１００の投影部の構成は、開口部８８を有するケース８５内に、レーザー光源１０１と透過型ホログラム１０３とが設けられており、前記開口部８８から路面にホログラム再生像が投影されるようになっている。また、このようなケース８５については、車両２００の室内天井部に取り付けられることが想定される。
【０１２０】
また、ケース８５内に２つの吸光部材９０が設けられており、第１の吸光部材９０は、透過型ホログラム１０３に入射後、回折されずに出射する透過光（０次光）を吸光し、第２の吸光部材９０は、透過型ホログラム１０３からの正反射光を吸光するようになっている。なお、図１５において、用いる吸光部材９０が２個の実施形態を表示しているが、吸光部材９０は２個に限定されず、他の部材の数や投影方法によって適宜決定することができる。
【０１２１】
本実施形態では、不要な反射光、透過光（０次光）など各迷光を遮断する手段として、吸光部材９０を用いるようにしているが、吸収だけではなく、光を散乱するなど、その他の迷光を遮断する手段を用いるようにしてもよい。
【０１２２】
また、表示装置１００の表示部の構成においては、本実施形態では、粘着層５１、基材層５２、ホログラム層５３、保護層５４の４層構造の視域制限透過型ホログラムスクリーン１０７を用いるようにしている。
【０１２３】
本実施形態においては、透過型ホログラム１０３による視域制限透過型ホログラムスクリーン１０７に対する投影は、オフアクシスの投影であり、さらに、視域制限透過型ホログラムスクリーン１０７により、入射角と異なる再生角で、再生を行うようにしている。
【０１２４】
本実施形態では、上記のように透過型ホログラム１０３からの透過光（０次光）や正反射光を吸光する構成を有し、さらに透過型ホログラム１０３はオフアクシスのものが用いられているので、ホログラム再生像とならなかったレーザー光源１０１の光によって、人の目に危害を及ぼす可能性が極めて低くなる、というメリットがある。また、本実施形態によっても、これまで説明した実施形態同様の効果を享受することができる。
【０１２５】
なお、本実施形態では、表示装置１００が、ケース８５内に設けられているが、ケースに限定されず、車両等の移動体内の特定のスペースを利用して設置してもよい。
【０１２６】
次に、本発明の他の実施形態について説明する。これまで説明した表示装置１００では、視域制限透過型ホログラムスクリーン１０７に投影像を投影するための光学素子として
ホログラムを用い、このホログラムにレーザー光源１０１から射出されたレーザー光を入射し、記録されたホログラム再生像を投影するようにしていた。これに対して、本実施形態では、視域制限透過型ホログラムスクリーン１０７に投影像を投影するための光学素子として、走査型ミラーデバイス７０が用いられており、投影像が走査型ミラーデバイス７０による走査パターンであることを特徴としている。
【０１２７】
図１８は本発明の第９実施形態に係る表示装置１００の構成を示す図である。走査型ミラーデバイス７０は、例えば、レーザー光源１０１から射出されたレーザー光を反射するミラー７１を備えている。このミラー７１は第１軸７３を中心に回動可能とされると共に、第２軸７４を中心として回動可能とされている。
【０１２８】
以上のような構成により、ミラー７１が駆動されることにより、走査型ミラーデバイス７０は、反射光により走査を行い、域制限透過型ホログラムスクリーン１０７を所定の走査パターンで走査することができるようになっている。
【０１２９】
このような本実施形態によっても、これまで説明した実施形態同様の効果を享受することができる。
【０１３０】
なお、図１８に示した走査型ミラーデバイス７０は２次元方向に走査が可能なミラーデバイスであるが、本発明に係る表示装置１００は、このようなミラーデバイスに限らず、１次元方向にのみ走査可能な走査型ミラーデバイスや、１次元方向に走査可能なミラーデバイスを２つ以上組み合わせて２次元方向に走査可能な走査型ミラーデバイスも用いることが可能である。
【０１３１】
以上、本発明の表示装置は、ホログラムにより投影されたホログラム再生像や走査型ミラーデバイス７０による走査パターンといった投影像が入射されると共に、制限された視域で表示を行うスクリーン備えているので、本発明の表示装置によれば、スクリーンでの表示は、報知したい者以外には視認が不可能となり、当該情報を報知されなくてもよい者が、当該情報を視認してしまうことで、危険や迷惑を被ることがない。また、このような本発明の表示装置によれば、用いるレーザー光源の光量を抑えることができる。
【０１３２】
また、このような本発明の表示装置を搭載した車両によれば、スクリーンでの表示は、隣のレーンの車両の運転者などは視認することができなくなり、隣のレーンの車両の運転者が、スクリーンの表示を視認してしまうことで、危険や迷惑を被ることがない。
【符号の説明】
【０１３３】
５１・・・粘着層
５２・・・基材層
５３・・・ホログラム層
５４・・・保護層
７０・・・走査型ミラーデバイス
７１・・・ミラー
７３・・・第１軸
７４・・・第２軸
８５・・・ケース
８８・・・開口部
９０・・・吸光部材
１００・・・表示装置
１０１・・・レーザー光源
１０３・・・透過型ホログラム
１０４・・・反射型ホログラム
１０５・・・ミラー
１０６・・・レンズ
１０７・・・視域制限透過型ホログラムスクリーン
１０９・・・円筒状部材
１１０・・・ＥＣＵ
１３０・・・方向指示器センサ
１４０・・・ブレーキセンサ
１６０・・・メインハザードスイッチ
１７０・・・サブハザードスイッチ
１８０・・・ギアセンサ
２００・・・車両
２１０・・・リアウインドウ
【図１】
2015132708.tif 000003
【図２】
2015132708.tif 000004
【図３】
2015132708.tif 000005
【図４】
2015132708.tif 000006
【図５】
2015132708.tif 000007
【図６】
2015132708.tif 000008
【図７】
2015132708.tif 000009
【図８】
2015132708.tif 000010
【図９】
2015132708.tif 000011
【図１０】
2015132708.tif 000012
【図１１】
2015132708.tif 000013
【図１２】
2015132708.tif 000014
【図１３】
2015132708.tif 000015
【図１４】
2015132708.tif 000016
【図１５】
2015132708.tif 000017
【図１６】
2015132708.tif 000018
【図１７】
2015132708.tif 000019
【図１８】
2015132708.tif 000020